(57)【要約】【課題】合成樹脂から比較的安価に製造することができるにも拘らず、締付トルクを充分大きくすることができ、そして更に締結具収納部（４）の収納穴（８）の内周面が変形されて締結具（六角ナット３０）に対して締付トルク管理具（２）が空転される際に、締結具（六角ナット３０）外周面の各角部が収納穴の内周面に形成されている各凹部（１６）における上流面（１６ｂ）に激しく衝突しても亀裂が生成されることが可及的に回避される、締付トルク管理具（２）を提供する。【解決手段】締付トルク管理具（２）は合成樹脂から一体に形成された締結具収納部（４）と締付トルク付加部（６）とを含む。締結具収納部（４）には自由端部が開口された収納穴（８）が形成されており、収納穴（８）の内周面は締結具のトルク付加正多角形外周面に対応した正多角形内周面の各辺面（１５）の中間部に凹部（１６）を形成した形態であり、凹部（１６）の底面（１６ａ）と締付回転方向に見て上流側に位置する上流面（１６ｂ）とは鈍角を形成する。【選択図】  図５
2018204623.tif 000002
【特許請求の範囲】
【請求項１】
合成樹脂から一体に形成された締結具収納部と締付トルク付加部とを含み、
該締結具収納部には自由端部が開口された収納穴が形成されており、該収納穴の内周面は締結具のトルク付加正多角形外周面に対応した正多角形内周面の各辺面の中間部に凹部を形成した形態であり、該凹部の底面と締付回転方向に見て上流側に位置する上流面とは鈍角を形成し、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具。
【請求項２】
該凹部の該上流面は該辺面から該締付回転方向に傾斜して外方に延在している、請求項１記載の締付トルク管理具。
【請求項３】
該凹部の該底面と該上流面とは弧状境界面を介して滑らかに接続されている、請求項１又は２記載の締付トルク管理具。
【請求項４】
該トルク付加正多角形外周面は正六角形である、請求項１から３までのいずれかに記載の締付トルク管理具。
【請求項５】
該凹部の各々の締結回転方向に見て下流側に位置する下流面は該辺面に対して垂直に延在する、請求項１から４までのいずれかに記載の締付トルク管理具。
【請求項６】
該締付トルク付加部の外周面は締結具のトルク付加正多角形外周面に対応した正多角形である、請求項１から５までのいずれかに記載の締結トルク管理具。
【請求項７】
請求項１から６までのいずれかに記載の締付トルク管理具と、該締付トルク管理具の該収納穴に少なくとも部分的に収納された締結具との組み合わせ。
【請求項８】
該締付トルク管理具の該収納穴の該辺面によって規定される正多角形内周面は締結具のトルク付加正多角形外周面よりも小さく、締結具は該収納穴内に圧入されている、請求項７記載の組み合わせ。
【請求項９】
該締結具は六角ナットである、請求項７又は８記載の組み合わせ。
【発明の詳細な説明】
【技術分野】
【０００１】
本発明は、ナット又はボルトの如き締結具を所要トルクで締め付けるための締付トルク管理具及びかかる締付トルク管理具と締結具との組み合わせに関する。
【背景技術】
【０００２】
例えば高速道路における遮音壁の取り付け、トンネル等の天井壁の取り付け或いは各種建造物における種々の部品の取り付けにおいては、周知の如くボルトとナットとの締結が多数使用されている。そして、かような締結においてはボルトに対してナット（通常は緩み止めナット）を、例えば呼び径Ｍ１０の六角ナットの場合には１７乃至２４Ｎｍ程度である、比較的大きな所要トルクで締め付けることが重要である。下記特許文献１及び２には、ボルトに対してナットを或いはナットに対してボルトを所要トルクで締め付ける際に使用することができる締付トルク管理具が開示されている。かかる締付トルク管理具は、所要トルクで破断される接続部によって一体に接続されている締結具収納部と締付トルク付加部とを含んでいる。締結具収納部内にナット或いはボルトの頭部を収納し、そして締付トルク付加部にトルクを加えてナットをボルトに或いはボルトをナットに締め付ける。締付トルク付加部に加えられ締結部収納部を介してナット或いはボルトに加えられる締付トルクが閾値を超えると、接続部が破断されて締付トルク付加部が締結具収納部から分離され、かくしてボルトに対してナットが或いはナットに対してボルトが所要トルクで締め付けられる。
【先行技術文献】
【特許文献】
【０００３】
【特許文献１】特開２００１−１４０８３２公報
【特許文献２】特開２０１５−２２４７８１公報
【発明の概要】
【発明が解決しようとする課題】
【０００４】
而して、上記特許文献１及び２に開示されている締付トルク管理具には、特に比較的大きな締付トルクを必要とする場合、全体を鉄の如き強靭な金属から形成することが必要であり、それ故に製造コストが高価である、という解決すべき問題がある。製造コストを低減するために適宜の合成樹脂から形成すると、締結具収納部と締付トルク付加部とを接続している接続部が、締付トルク付加部に加えられる締付トルクが小さい時点で破断されてしまう。
【０００５】
上記特許文献１及び２に開示されている締付トルク管理具における上記のとおりの問題を解決するために、本発明者等は、先に特願２０１６−１３９１５２の明細書において、従来の形態とは全く異なった独特な形態の締付トルク管理具を提案した。かかる締付トルク管理具は、合成樹脂から一体に形成された締結具収納部と締付トルク付加部とを含む。締結具収納部には自由端部が開口された収納穴が形成されており、この収納穴は締結具のトルク付加正多角形外周面に対応した正多角形内周面の各辺面の中間部に凹部を形成した形態である。凹部の両側面、即ち締結回転方向に見て上流側に位置する上流面及び下流側に位置する下流面、は辺面に対して垂直に延在している。締付トルク付加部に加えられ締結具収納部を介して締結具に伝達される締付トルクが閾値を超えると、収納穴の内周面が変形されて締結具に対して締結具収納部が空転するようになり、かくして締結具の締付トルクが管理される。
【０００６】
本発明者等が提案した上記のとおりの締付トルク管理具は、ポリカーボネート及びアクリロニトリルブタジエンスチレンの如き適宜の合成樹脂から形成しても、収納穴の内周面の変形が開始される締付トルクを充分高い値にすることができ、従って適宜の合成樹脂から形成することによって製造コストを低減することが可能になる。
【０００７】
しかしながら、本発明者等の経験によれば、本発明者等が提案した上記のとおりの締付トルク管理具も、未だ充分に満足し得るものではなく、次のとおりの問題を有することが判明した。即ち、締結具収納部の収納穴の内周面が変形されて締結具に対して締付トルク管理具が空転される際に、締結具の各角部が収納穴の内周面に形成されている各凹部における上流面に激しく衝突し、これによって凹部の底面と上流面との境界から締結具収納部の外周面に至る亀裂が生成され、破損片が塵として飛び散ってしまう虞がある。特に、電動トルクドライブの如き電動工具を使用して締め付ける場合に顕著である。
【０００８】
本発明は上記事実に鑑みてなされたものであり、その主たる技術的課題は、本発明者等が先に提案した上記のとおりの締付トルク管理具に更に改良を加えて、締結具収納部の収納穴の内周面が変形されて締結具に対して締付トルク管理具が空転される際に、締結具外周面の各角部が収納穴の内周面に形成されている各凹部における上流面に激しく衝突しても、亀裂が発生することが可及的に回避される、新規且つ改良された締付トルク管理具を提供すること、そしてまたかかる締付トルク管理具と締結具との新規且つ改良された組み合わせを提供することである。
【課題を解決するための手段】
【０００９】
本発明者等は、鋭意検討及び実験の結果、締結具収納部の収納穴に形成されている凹部の各々における底面と上流面（締付回転方向に見て上流側に位置する側面）とが鈍角を形成する形態にすることによって、上記主たる技術的課題を達成することができることを見出した。
【００１０】
即ち、本発明の第一の局面によれば、上記主たる技術的課題を達成する締付トルク管理具として、合成樹脂から一体に形成された締結具収納部と締付トルク付加部とを含み、
該締結具収納部には自由端部が開口された収納穴が形成されており、該収納穴の内周面は締結具のトルク付加正多角形外周面に対応した正多角形内周面の各辺面の中間部に凹部を形成した形態であり、該凹部の底面と締付回転方向に見て上流側に位置する上流面とは鈍角を形成し、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具が提供される。
【００１１】
好ましくは、該凹部の該上流面は該辺面から該締付回転方向に傾斜して外方に延在している。該凹部の該底面と該上流面とは弧状境界面を介して滑らかに接続されているのが好適である。該トルク付加正多角形外周面は正六角形であるのが好都合である。該凹部の各々の締結回転方向に見て下流側に位置する下流面は該辺面に対して垂直に延在するのが望ましい。該締付トルク付加部の外周面は締結具のトルク付加正多角形外周面に対応した正多角形であるのが好都合である。
【００１２】
本発明の第二の局面によれば、上記主たる技術的課題を達成する締付トルク管理具と締結具の組み合わせにして、本発明の第一の局面において提供される上述したとおりの締付トルク管理具と、該締付トルク管理具の該収納穴に少なくとも部分的に収納された締結具との組み合わせが提供される。
【００１３】
該締付トルク管理具の該収納穴の該辺面によって規定される正多角形内周面は締結具のトルク付加正多角形外周面よりも小さく、締結具は該収納穴内に圧入されているのが好適である。該締結具は六角ナットでよい。
【発明の効果】
【００１４】
本発明の締付トルク管理具及び締付トルク管理具と締結具との組み合わせにおいては、締付トルク管理具が合成樹脂から形成されている、従って比較的安価に製造することができるにも拘らず、締付トルクを充分大きくすることができ、そして更に締付トルク管理具の締結具収納部に配設されている収納穴に形成されている凹部の各々において、底面と上流面とは鈍角を形成している故に、締結具収納部の収納穴の内周面が変形されて締結具に対して締付トルク管理具が空転される際に、締結具外周面の各角部が収納穴の内周面に形成されている各凹部における上流面に激しく衝突しても亀裂が生成されることが可及的に回避される。
【図面の簡単な説明】
【００１５】
【図１】本発明に従って構成された締付トルク管理具の好適実施形態を上方から見た斜面図。
【図２】図１に示す締付トルク管理具を下方から見た斜面図。
【図３】図１に示す締付トルク管理具の、一部を断面で示す正面図。
【図４】図１に示す締付トルク管理具の平面図。
【図５】図１に示す締付トルク管理具の底面図。
【図６】図１に示す締付トルク管理具と締結具の典型例あるナットとの組み合わせの、一部を断面で示す正面図。
【図７】図６に示す組み合わせの断面図。
【図８】図６に示す組み合わせにおいて、ナットの締付トルクが閾値を超えてナットに対して締付トルク管理具が空転した状態を示す断面図。
【発明を実施するための形態】
【００１６】
以下、本発明に従って構成された締付トルク管理具の好適実施形態及びかかる実施形態と締結具の典型例であるナットとの組み合わせを示す添付図面を参照して、更に詳述する。
【００１７】
図１乃至図３を参照して説明すると、全体を番号２で示す締付トルク管理具は、適宜の合成樹脂、好ましくはポリカーボネート或いはアクリロニトリルブタジエンスチレン（ＡＢＳ）の如き比較的高強度の合成樹脂、から射出成形或いは圧縮成形によって一体に形成されている。かかる締付トルク管理具２は、その略下半部を構成している締結具収納部４とその略上半部を構成している締付トルク付加部６とを含んでいる。
【００１８】
図１乃至図３と共に図４及び図５を参照して説明を続けると、締結具収納部４は全体として筒形状であり、自由端部即ち下端が開放された収納穴８が形成されている。締結具収納部４の環状下面１０は平坦であり、同様に環状上面１２も平坦であり環状下面１０と平行に延在している。締結具収納部４の外周面１４は円筒形状である。
【００１９】
上記収納穴８の内周面は、収納する締結具のトルク付加正多角形外周面に対応した仮想正多角形内周面の各辺面１５の中間部に凹部１６を形成した形態であることが重要である。図示の実施形態においては、後述するとおり締結具は六角ナットであり、従って締結具のトルク付加正多角形外周面は正六角形であり、仮想正多角形内周面（図５に二点鎖線で示す内周面）も正六角形である。凹部１６の各々は底面１６ａと共に両側面、即ち締付回転方向（図４において時計方向、図５において反時計方向）に見て上流側に位置する上流面１６ｂ及び下流側に位置する下流面１６ｃを有する。底面１６ａと上流面１６ｂとが形成する角度αは、１００乃至１６０度程度であるのが好ましい鈍角であることが重要である。図示の実施形態においては、底面１６ａは外周面１４と同心状の円の一部をなす円弧形状であり、上流面１６ｂは辺面１５に対して上記締付回転方向に傾斜して外方に傾斜して延在している。底面１６ａと上流面１６ｂとは弧状境界面１６ｄを介して滑らかに接続されているのが好適である。一方、下流面１６ｃは辺面１５に対して垂直に延在している。上記締付回転方向において凹部１６よりも下流側の辺面１５の周方向長さＬ１は凹部１６よりも上流の辺面１５の周方向長さＬ２よりも長いのが好都合である（この場合には、後の説明から明確に理解される如く、締付トルクが閾値は凹部１６よりも下流側の辺面の変形によって規定される）。図３を参照することによって理解される如く、締結具収納部４の環状下面１０に開口する収納穴８の内周面下端部には面取加工が施されている。図示の実施形態においては、締結具収納部４には上記収納穴８の上端に続く連通穴１８も形成されている。図５を参照することによって明確に理解される如く、連通穴１８の横断面形状は円形であり、その直径は上記収納穴８における仮想正六角形に内接する円の直径よりも幾分小さく、収納穴８と連通穴１８との境界には下方を向いた円環状肩面２０が規定されている。
【００２０】
図１乃至図４を参照して説明を続けると、上記締結具収納部４の環状上面１２から上方に延出する締付トルク付加部６も全体として筒形状であり、上下方向に延びる貫通穴２２を有する。図３から明確に理解される如く、貫通穴２２は上記連通穴１８を介して上記収納穴８に連通されている。貫通穴２２の横断面形状は円形であり、その直径は上記連通穴１８の直径よりも更に小さく、貫通穴２２と連通穴１８との境界には下方を向いた円環状肩面２４が規定されている。締付トルク付加部６の外周面２６及び上面２８は、締結具収納部４内に収納される締結具の外周面及び上面に対応した形状及び寸法であるのが好適であり、図示の実施例においては締付トルク付加部６の外周面２６は六角ナットの外周面に対応した正六角形状（従って締付トルク付加部６の外径は締結具収納部４の外径よりも小さい）であり、上面２８の主部は平坦であるが角部外周部は面取りされている。締付トルク付加部６の貫通穴２２の直径は六角ナットが締結されるボルトの軸部の外径よりも幾分大きく、後に更に言及する如く、締結具収納部４に収容された六角ナットをボルトに締結する際には、締結の進行に応じてボルトの軸部が締結具収納部４の連通穴１８及び締付トルク付加部６の貫通穴２２を挿通する。
【００２１】
上述したとおりの締付トルク管理具２はそれ単独で市場に流通させることもできるが、図６及び図７（図７においては図面の簡略化のため収納穴８の内周面下端における面取加工の図示を省略している）に示すとおり、締結具と組み合わせて市場に流通させるのが好都合である。図６及び図７に示す実施形態においては、締結具の典型例として六角ナット３０が図示されている。かかる六角ナット３０の外周面３２は正六角形であり、締結具収納部４に形成されている収納穴８に関する上記仮想正六角形よりも若干大きい（換言すれば、締付トルク管理具２における締結具収納部４の収納穴８の仮想正六角形は六角ナット３０の正六角形である外周面３２よりも小さく設定される）。そして、六角ナット３０の主部、即ち下端部を除く部分、が締結具収納部４の収納穴８内に圧入され、六角ナット３０の上面外周縁部３４の内側には形成されている円筒形突起３６の上面が上記環状肩面２４に当接される（締結具収納部４の収納穴８に収納される六角ナット３０が円筒形突起３６を有しない形態である場合には、六角ナット３０の上面外周縁部３４が上記環状片面２０に当接される）。
【００２２】
上述したとおりの締付トルク管理具２の使用様式について説明すると、締付トルク管理具２に六角ナット３０が既に組み合わされている場合には、その六角ナット３０を締結すべきボルトの軸部３８（図６）に被嵌する。締付トルク管理具２に六角ナット３０が組み合わされていない場合には、ボルトに仮締結した六角ナット３０を締付トルク管理具２の締結具収納部４に形成されている収納穴８に収納する（この場合には、収納穴８の仮想正六角形を六角ナット３０の正六角形状の外周面と実質上同寸法或いはこれより若干大きく設定し、充分容易に六角ナット３０を収納穴８内に収納することができるようになすのが望ましい）。次いで、適宜の締付具（図示していない）を締付トルク付加部６の外周面に係合して締結方向（図４において時計方向、図５において反時計方向）に回転する。締結具から締付トルク付加部６に加えられるトルクは締結具収納部４を介して六角ナット３０に伝えられ、これによって六角ナット３０がボルトの軸部３８に締め付けられる。ボルトの軸部３８に対して六角ナット３０が軸線方向に相対的に比較的長い距離に渡って進行する場合には、図６に二点鎖線で図示する如く、ボルトの軸部３８が締結具収納部４に形成されている連通穴１８及び締付トルク付加部６に形成されている貫通穴２２に進入し連通穴１８及び貫通穴２２を挿通する。
【００２３】
六角ナット３０に伝えられる締付トルクが所定閾値を超えると、図８（図８においても、図７と同様に、図面の簡略化のため収納穴８の内周面下端における面取加工の図示を省略している）に図示する如く、締結具収納部４に形成されている収納穴８の内周面、特に締付回転方向に見て凹部１６よりも下流側の部位（更に詳しくは締付回転方向に見て上流側の辺面１５と下流側の辺面１５との境界領域と上流側の辺面１５の凹部１６との間の部位）が締付回転方向とは反対側へ向かって押圧されて変形され、六角ナット３０に対して締付トルク管理具２が空転するようになり、かくしてボルトに対して六角ナット３０が所要締締付トルクで締結される。六角ナット３０に対して締付トルク管理具２が空転し始めた際には、六角ナット３０の外周面角部が締結具収納部４に形成されている収納穴８の凹部１６の上流面１６ｂに激しく衝突することがあるが、本発明に従って構成された締付トルク管理具２においては凹部１６の底面１６ａと上流面１６ｂとが鈍角を形成している故に、六角ナット３０の外周面角部から凹部１６の上流面１６ｂに加えられる力が適宜に緩衝乃至消失され、締結具収納部４に亀裂が生成され締結具収納部４が破損されてしまうことが可及的に回避される。六角ナット３０に対して締付トルク管理具２が空転し始めた後においては、ボルトの軸部３８に所要締付トルクで締め付けられ六角ナット３０から締付トルク管理具２を充分容易に離脱することができる。
【符号の説明】
【００２４】
２：締付トルク管理具
４：締結具収納部
６：締付トルク付加部
８：収納穴
１５：辺面
１６：凹部
１６ａ：凹部の底面
１６ｂ：凹部の上流面
１６ｃ：凹部の下流面
１８：連通穴
２２：貫通穴
３０：六角ナット
３８：ボルトの軸部
【図１】
2018204623.tif 000003
【図２】
2018204623.tif 000004
【図３】
2018204623.tif 000005
【図４】
2018204623.tif 000006
【図５】
2018204623.tif 000007
【図６】
2018204623.tif 000008
【図７】
2018204623.tif 000009
【図８】
2018204623.tif 000010
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
合成樹脂から一体に形成された締結具収納部と締付トルク付加部とを含み、
該締結具収納部には自由端が開口された収納穴が形成されており、該収納穴の内周面は締結具のトルク付加正多角形外周面に対応した正多角形内周面の各辺面の中間部に凹部を形成した形態であり、該凹部の底面と締付回転方向に見て上流側に位置する上流面とは鈍角を形成し、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具。
【請求項２】
該凹部の該上流面は該辺面から外方に向かって該締付回転方向に傾斜して延在している、請求項１記載の締付トルク管理具。
【請求項３】
該凹部の該底面と該上流面とは弧状境界面を介して滑らかに接続されている、請求項１又は２記載の締付トルク管理具。
【請求項４】
該トルク付加正多角形外周面は正六角形である、請求項１から３までのいずれかに記載の締付トルク管理具。
【請求項５】
該凹部の各々の締付回転方向に見て下流側に位置する下流面は該辺面に対して垂直に延在する、請求項１から４までのいずれかに記載の締付トルク管理具。
【請求項６】
該締付トルク付加部の外周面は締結具のトルク付加正多角形外周面に対応した正多角形である、請求項１から５までのいずれかに記載の締付トルク管理具。
【請求項７】
請求項１から６までのいずれかに記載の締付トルク管理具と、該締付トルク管理具の該収納穴に少なくとも部分的に収納された締結具との組み合わせ。
【請求項８】
該締付トルク管理具の該収納穴の該辺面によって規定される正多角形内周面は締結具のトルク付加正多角形外周面よりも小さく、締結具は該収納穴内に圧入されている、請求項７記載の組み合わせ。
【請求項９】
該締結具は六角ナットである、請求項７又は８記載の組み合わせ。
【手続補正２】
【補正対象書類名】明細書
【補正対象項目名】０００５
【補正方法】変更
【補正の内容】
【０００５】
上記特許文献１及び２に開示されている締付トルク管理具における上記のとおりの問題を解決するために、本発明者等は、先に特願２０１６−１３９１５２の明細書において、従来の形態とは全く異なった独特な形態の締付トルク管理具を提案した。かかる締付トルク管理具は、合成樹脂から一体に形成された締結具収納部と締付トルク付加部とを含む。締結具収納部には自由端が開口された収納穴が形成されており、この収納穴は締結具のトルク付加正多角形外周面に対応した正多角形内周面の各辺面の中間部に凹部を形成した形態である。凹部の両側面、即ち締付回転方向に見て上流側に位置する上流面及び下流側に位置する下流面、は辺面に対して垂直に延在している。締付トルク付加部に加えられ締結具収納部を介して締結具に伝達される締付トルクが閾値を超えると、収納穴の内周面が変形されて締結具に対して締結具収納部が空転するようになり、かくして締結具の締付トルクが管理される。
【手続補正３】
【補正対象書類名】明細書
【補正対象項目名】００１０
【補正方法】変更
【補正の内容】
【００１０】
即ち、本発明の第一の局面によれば、上記主たる技術的課題を達成する締付トルク管理具として、合成樹脂から一体に形成された締結具収納部と締付トルク付加部とを含み、
該締結具収納部には自由端が開口された収納穴が形成されており、該収納穴の内周面は締結具のトルク付加正多角形外周面に対応した正多角形内周面の各辺面の中間部に凹部を形成した形態であり、該凹部の底面と締付回転方向に見て上流側に位置する上流面とは鈍角を形成し、
該締付トルク付加部に加えられ該締結具収納部を介して締結具に伝達される締付トルクが閾値を超えると、該収納穴の内周面が変形されて締結具に対して該締結具収納部が空転するようになり、かくして締結具の締付トルクが管理される、
ことを特徴とする締付トルク管理具が提供される。
【手続補正４】
【補正対象書類名】明細書
【補正対象項目名】００１１
【補正方法】変更
【補正の内容】
【００１１】
好ましくは、該凹部の該上流面は該辺面から外方に向かって該締付回転方向に傾斜して延在している。該凹部の該底面と該上流面とは弧状境界面を介して滑らかに接続されているのが好適である。該トルク付加正多角形外周面は正六角形であるのが好都合である。該凹部の各々の締付回転方向に見て下流側に位置する下流面は該辺面に対して垂直に延在するのが望ましい。該締付トルク付加部の外周面は締結具のトルク付加正多角形外周面に対応した正多角形であるのが好都合である。
【手続補正５】
【補正対象書類名】明細書
【補正対象項目名】００１５
【補正方法】変更
【補正の内容】
【００１５】
【図１】本発明に従って構成された締付トルク管理具の好適実施形態を上方から見た斜面図。
【図２】図１に示す締付トルク管理具を下方から見た斜面図。
【図３】図１に示す締付トルク管理具の、一部を断面で示す正面図。
【図４】図１に示す締付トルク管理具の平面図。
【図５】図１に示す締付トルク管理具の底面図。
【図６】図１に示す締付トルク管理具と締結具の典型例であるナットとの組み合わせの、一部を断面で示す正面図。
【図７】図６に示す組み合わせの断面図。
【図８】図６に示す組み合わせにおいて、ナットの締付トルクが閾値を超えてナットに対して締付トルク管理具が空転した状態を示す断面図。
【手続補正６】
【補正対象書類名】明細書
【補正対象項目名】００１８
【補正方法】変更
【補正の内容】
【００１８】
図１乃至図３と共に図４及び図５を参照して説明を続けると、締結具収納部４は全体として筒形状であり、自由端即ち下端が開放された収納穴８が形成されている。締結具収納部４の環状下面１０は平坦であり、同様に環状上面１２も平坦であり環状下面１０と平行に延在している。締結具収納部４の外周面１４は円筒形状である。
【手続補正７】
【補正対象書類名】明細書
【補正対象項目名】００１９
【補正方法】変更
【補正の内容】
【００１９】
上記収納穴８の内周面は、収納する締結具のトルク付加正多角形外周面に対応した仮想正多角形内周面の各辺面１５の中間部に凹部１６を形成した形態であることが重要である。図示の実施形態においては、後述するとおり締結具は六角ナットであり、従って締結具のトルク付加正多角形外周面は正六角形であり、仮想正多角形内周面（図５に二点鎖線で示す内周面）も正六角形である。凹部１６の各々は底面１６ａと共に両側面、即ち締付回転方向（図４において時計方向、図５において反時計方向）に見て上流側に位置する上流面１６ｂ及び下流側に位置する下流面１６ｃを有する。底面１６ａと上流面１６ｂとが形成する角度αは、１００乃至１６０度程度であるのが好ましい鈍角であることが重要である。図示の実施形態においては、底面１６ａは外周面１４と同心状の円の一部をなす円弧形状であり、上流面１６ｂは辺面１５に対して外方に向かって上記締付回転方向に傾斜して延在している。底面１６ａと上流面１６ｂとは弧状境界面１６ｄを介して滑らかに接続されているのが好適である。一方、下流面１６ｃは辺面１５に対して垂直に延在している。上記締付回転方向において凹部１６よりも下流側の辺面１５の周方向長さＬ１は凹部１６よりも上流の辺面１５の周方向長さＬ２よりも長いのが好都合である（この場合には、後の説明から明確に理解される如く、締付トルクの閾値は凹部１６よりも下流側の辺面の変形によって規定される）。図３を参照することによって理解される如く、締結具収納部４の環状下面１０に開口する収納穴８の内周面下端部には面取加工が施されている。図示の実施形態においては、締結具収納部４には上記収納穴８の上端に続く連通穴１８も形成されている。図５を参照することによって明確に理解される如く、連通穴１８の横断面形状は円形であり、その直径は上記収納穴８における仮想正六角形に内接する円の直径よりも幾分小さく、収納穴８と連通穴１８との境界には下方を向いた環状肩面２０が規定されている。
【手続補正８】
【補正対象書類名】明細書
【補正対象項目名】００２１
【補正方法】変更
【補正の内容】
【００２１】
上述したとおりの締付トルク管理具２はそれ単独で市場に流通させることもできるが、図６及び図７（図７においては図面の簡略化のため収納穴８の内周面下端における面取加工の図示を省略している）に示すとおり、締結具と組み合わせて市場に流通させるのが好都合である。図６及び図７に示す実施形態においては、締結具の典型例として六角ナット３０が図示されている。かかる六角ナット３０の外周面３２は正六角形であり、締結具収納部４に形成されている収納穴８に関する上記仮想正六角形よりも若干大きい（換言すれば、締付トルク管理具２における締結具収納部４の収納穴８の仮想正六角形は六角ナット３０の正六角形である外周面３２よりも小さく設定される）。そして、六角ナット３０の主部、即ち下端部を除く部分、が締結具収納部４の収納穴８内に圧入され、六角ナット３０の上面外周縁部３４の内側には形成されている円筒形突起３６の上面が上記円環状肩面２４に当接される（締結具収納部４の収納穴８に収納される六角ナット３０が円筒形突起３６を有しない形態である場合には、六角ナット３０の上面外周縁部３４が上記環状肩面２０に当接される）。
【手続補正９】
【補正対象書類名】明細書
【補正対象項目名】００２２
【補正方法】変更
【補正の内容】
【００２２】
上述したとおりの締付トルク管理具２の使用様式について説明すると、締付トルク管理具２に六角ナット３０が既に組み合わされている場合には、その六角ナット３０を締結すべきボルトの軸部３８（図６）に被嵌する。締付トルク管理具２に六角ナット３０が組み合わされていない場合には、ボルトに仮締結した六角ナット３０を締付トルク管理具２の締結具収納部４に形成されている収納穴８に収納する（この場合には、収納穴８の仮想正六角形を六角ナット３０の正六角形状の外周面と実質上同寸法或いはこれより若干大きく設定し、充分容易に六角ナット３０を収納穴８内に収納することができるようになすのが望ましい）。次いで、適宜の締付具（図示していない）を締付トルク付加部６の外周面に係合して締付回転方向（図４において時計方向、図５において反時計方向）に回転する。締結具から締付トルク付加部６に加えられるトルクは締結具収納部４を介して六角ナット３０に伝えられ、これによって六角ナット３０がボルトの軸部３８に締め付けられる。ボルトの軸部３８に対して六角ナット３０が軸線方向に相対的に比較的長い距離に渡って進行する場合には、図６に二点鎖線で図示する如く、ボルトの軸部３８が締結具収納部４に形成されている連通穴１８及び締付トルク付加部６に形成されている貫通穴２２に進入し連通穴１８及び貫通穴２２を挿通する。
【手続補正１０】
【補正対象書類名】明細書
【補正対象項目名】００２３
【補正方法】変更
【補正の内容】
【００２３】
六角ナット３０に伝えられる締付トルクが所定閾値を超えると、図８（図８においても、図７と同様に、図面の簡略化のため収納穴８の内周面下端における面取加工の図示を省略している）に図示する如く、締結具収納部４に形成されている収納穴８の内周面、特に締付回転方向に見て凹部１６よりも下流側の部位（更に詳しくは締付回転方向に見て上流側の辺面１５と下流側の辺面１５との境界領域と上流側の辺面１５の凹部１６との間の部位）が締付回転方向とは反対側へ向かって押圧されて変形され、六角ナット３０に対して締付トルク管理具２が空転するようになり、かくしてボルトに対して六角ナット３０が所要締付トルクで締結される。六角ナット３０に対して締付トルク管理具２が空転し始めた際には、六角ナット３０の外周面角部が締結具収納部４に形成されている収納穴８の凹部１６の上流面１６ｂに激しく衝突することがあるが、本発明に従って構成された締付トルク管理具２においては凹部１６の底面１６ａと上流面１６ｂとが鈍角を形成している故に、六角ナット３０の外周面角部から凹部１６の上流面１６ｂに加えられる力が適宜に緩衝乃至消失され、締結具収納部４に亀裂が生成され締結具収納部４が破損されてしまうことが可及的に回避される。六角ナット３０に対して締付トルク管理具２が空転し始めた後においては、ボルトの軸部３８に所要締付トルクで締め付けられ六角ナット３０から締付トルク管理具２を充分容易に離脱することができる。
【手続補正１１】
【補正対象書類名】図面
【補正対象項目名】図５
【補正方法】変更
【補正の内容】
【図５】
2018204623.tif 000011